(57)【要約】【課題】利用者の属性に応じて移動型端末に情報配信する。【解決手段】サーバは、利用者の属性を示す項目内容を含む属性情報と、利用者による移動型端末の操作に係る行動情報と、移動中の移動型端末の一定間隔毎の位置情報とをデータベースに格納し、一定の時間間隔毎に属性情報、行動情報及び位置情報を取得し、取得した行動情報において緯度及び経度を同じくする操作内容を収集し、収集した操作内容を属性情報の属性を示す項目内容別に集計し、位置情報に基づいて、行動情報の緯度及び経度から所定の距離範囲内にありかつ行動情報の緯度及び経度に近づいている移動型端末を情報配信先の候補として決定し、情報配信先の候補とされた移動型端末の各々の利用者の属性に基づき、項目内容別の集計結果に応じて該当する操作内容の操作を促す情報を移動型端末に送信する。【選択図】図１
2014194710.tif 000002
【特許請求の範囲】
【請求項１】
利用者の属性に依存した情報を移動型端末に配信するサーバを備えたシステムであって、前記サーバは、
利用者の属性を示す項目内容を含む属性情報を移動型端末と対応付けて予めデータベースに格納する手段と、
利用者が移動型端末を操作したときの操作を行った緯度及び経度と操作内容とを含む行動情報を移動型端末と対応付けて前記データベースに格納する手段と、
移動中の移動型端末の一定間隔毎の現在緯度及び現在経度並びに移動方向である位置情報を移動型端末と対応付けて前記データベースに格納する手段と、
一定の時間間隔毎に前記データベースから前記属性情報、前記行動情報及び前記位置情報を取得し、取得した前記行動情報において緯度及び経度を同じくする操作内容を収集し、収集した操作内容を、前記属性情報の属性を示す項目内容別に集計する手段と、
取得した前記位置情報に基づいて、前記行動情報の緯度及び経度から所定の距離範囲内にありかつ前記行動情報の緯度及び経度に近づいている移動型端末を情報配信先の候補として決定する手段と、
情報配信先の候補とされた移動型端末の各々の利用者の属性に基づき、前記属性を示す項目内容別の集計結果に応じて属性に該当する操作内容の操作を促す情報を移動型端末に送信する手段と、を有することを特徴とする
利用者の属性に依存した情報配信システム。
【請求項２】
前記行動情報に、利用者が移動型端末を操作したときの当該移動型端末の向きである方角がさらに含まれており、前記サーバは、前記移動型端末に情報を送信する際、前記操作内容がカメラ撮影であるときは前記行動情報に含まれる方角を含めて前記移動型端末に送信することを特徴とする請求項１に記載の利用者の属性に依存した情報配信システム。
【請求項３】
前記サーバは、前記移動型端末に情報を送信する際、前記行動情報の緯度及び経度により特定される対象物についての関連情報を併せて送信し、前記関連情報は、移動型端末の各々の利用者の属性に依存して異なることを特徴とする請求項１又は２に記載の利用者の属性に依存した情報配信システム。
【請求項４】
前記移動型端末は、
移動中、一定の時間間隔毎の現在緯度及び現在経度である位置情報を取得する手段と、
前記サーバから配信された情報を情報記憶部に記憶する手段と、
取得した前記位置情報に基づいて、前記サーバから配信された情報に含まれる前記対象物から所定の距離範囲内にあると判断したとき、前記サーバから配信された情報を表示する手段と、を有することを特徴とする
請求項１〜３のいずれかに記載の利用者の属性に依存した情報配信システム。
【発明の詳細な説明】
【技術分野】
【０００１】
本発明は、サーバから移動型端末に対して、利用者属性に依存した情報を配信するための情報配信システムに関する。
【背景技術】
【０００２】
車両や交通網、交通機関の発達により、従来よりも手軽に観光地へ移動できるようになり、観光を楽しむ上で、観光販促物やガイド雑誌といった情報が不可欠になってきている。
【０００３】
最近では携帯端末等の移動型端末を利用して観光情報を参照したり、地図表示機能を利用して周辺の地図を確認したり、ＧＰＳ機能を利用して自分の現在地を地図上で確認したりして、観光情報を利用する機会が増えつつある。
【０００４】
図１は、一般的な情報配信システムの概略構成図である。この例では、情報を表示する端末は移動型端末である。移動型端末１０７ａ、１０７ｂ...１０７ｎは、各種の指示情報を入力する入力部１０１、衛星からの電波を受信して現在位置を検出するＧＰＳ部１０２、観光情報を格納した情報記憶部１０３、端末におけるデータ処理全体を制御するデータ処理部１０４、処理結果を表示する表示部１０５、及び、基地局１０８を介し公衆回線網１０９と接続して地図データサーバ１１０とデータを送受信するための送受信部１０６から構成される。
【０００５】
移動型端末１０７ａ等の稼働開始後、データ処理部１０４が初期化処理を行う。続いて情報記憶部１０３に記憶された観光情報を基に、当該位置を含む地域の地図画像を送受信部１０６を経由して地図データサーバ１１０から取得し、位置に関連する情報と合わせて表示部１０５に表示する。ＧＰＳ部１０２は衛星から電波を受信して、当該端末の現在位置の緯度及び経度の検出を開始し、その検出結果をデータ処理部１０４に渡す。
【０００６】
データ処理部１０４は、ＧＰＳ部１０２から取得した現在位置の緯度及び経度に基づき表示部１０５に現在位置を表すシンボルを表示する。また現在位置の緯度及び経度が、情報記憶部１０３に記憶された特定の位置の緯度及び経度の近接位置に到達すると、特定の位置への接近を知らせるために表示部１０５に接近を知らせる表示を行う。
【０００７】
移動型端末は、利用者が指示情報を入力するためのコマンドメニューを表示部１０５に表示させるボタン又はセンサを備えている。
【０００８】
このようなシステムとしては、特許文献１、２等が提示されている。
【先行技術文献】
【特許文献】
【０００９】
【特許文献１】特開２００６−２６２１８９号公報
【特許文献２】特開２００５−１５７９７７号公報
【発明の概要】
【発明が解決しようとする課題】
【００１０】
ところで、利用者に特定の位置への接近を知らせる目的が道路案内（道路固有の情報）であるシステムにおいては、利用者の性別や年齢に関係なく同じ情報が要求されることが予想される。
しかし、道路固有の情報に限定されない移動経路上の様々な情報に対する要求は、性別、年齢、家族構成、趣味、趣向、通行目的といったシステムの利用者の属性に依存する部分が多いと考えられる。また、道路固有の情報の改変頻度に比べて、利用者属性に依存するこれらの情報は更新頻度が高く、更新時期も様々である。従って、端末の情報記憶部に予め記憶された情報のみでは、利用者属性に依存した情報に対する要求に応じきれない場合がある。
【００１１】
また、利用者属性に依存する情報であっても、従来は、書籍やナビゲーションシステムのデータとして利用者属性とは関係なく一律に提供されていた。そのため利用者は、一律に提供される情報の中から、自身の属性に応じた情報を取捨選択しなければならなかった。しかし、移動中にそのような情報の取捨選択を行うことで、次の行動おこすためのタイミングを逸してしまう可能性がある。例えば観光バスを利用したツアーで一度しか通らない経路上に鑑賞の対象物が存在した場合において、対象物が現れたタイミングが取捨選択行為を行った結果、実際に鑑賞することを逃してしまい、二度と鑑賞できないことも考えられる。これはツアーサービスを提供する事業者の信頼性を損ねる要因となってしまう。
【００１２】
以上の現状に鑑み本発明の目的は、利用者の移動型端末の移動中に、対象物への接近情報又は移動型端末の操作を促す情報等を、利用者の属性に応じて移動型端末に配信することができる情報配信システムを提供することである。
【課題を解決するための手段】
【００１３】
上記の目的を達成するべく、本発明は以下の構成を提供する。
本発明の態様は、利用者の属性に依存した情報を移動型端末に配信するサーバを備えたシステムであって、前記サーバは、利用者の属性を示す項目内容を含む属性情報を移動型端末と対応付けて予めデータベースに格納する手段と、利用者が移動型端末を操作したときの操作を行った緯度及び経度と操作内容とを含む行動情報を移動型端末と対応付けて前記データベースに格納する手段と、移動中の移動型端末の一定間隔毎の現在緯度及び現在経度並びに移動方向である位置情報を移動型端末と対応付けて前記データベースに格納する手段と、一定の時間間隔毎に前記データベースから前記属性情報、前記行動情報及び前記位置情報を取得し、取得した前記行動情報において緯度及び経度を同じくする操作内容を収集し、収集した操作内容を、前記属性情報の属性を示す項目内容別に集計する手段と、
取得した前記位置情報に基づいて、前記行動情報の緯度及び経度から所定の距離範囲内にありかつ前記行動情報の緯度及び経度に近づいている移動型端末を情報配信先の候補として決定する手段と、情報配信先の候補とされた移動型端末の各々の利用者の属性に基づき、前記属性を示す項目内容別の集計結果に応じて属性に該当する操作内容の操作を促す情報を移動型端末に送信する手段と、を有することを特徴とする。
【００１４】
上記態様において、前記行動情報に、利用者が移動型端末を操作したときの当該移動型端末の向きである方角がさらに含まれており、前記サーバは、前記移動型端末に情報を送信する際、前記操作内容がカメラ撮影であるときは前記行動情報に含まれる方角を含めて前記移動型端末に送信することが、好適である。
また、上記態様において、前記サーバは、前記移動型端末に送信する際、前記行動情報の緯度及び経度により特定される対象物についての関連情報を併せて送信する手段をさらに有し、前記対象物についての関連情報は、移動型端末の各々の利用者の属性に依存して異なることが、好適である。
【００１５】
上記態様において、前記移動型端末は、移動中、一定の時間間隔毎の現在緯度及び現在経度である位置情報を取得する手段と、前記サーバから配信された情報を情報記憶部に記憶する手段と、取得した前記位置情報に基づいて、前記サーバから配信された情報に含まれる前記対象物から所定の距離範囲内にあると判断したとき、前記サーバから配信された情報を表示する手段と、を有することが、好適である。
【発明の効果】
【００１６】
本発明による利用者属性に依存した情報配信システムによれば、次のような効果がある。
（１）サーバは、複数の利用者の移動型端末からそれぞれの利用者の属性情報、行動情報及び位置情報を収集し、蓄積した行動蓄積データを解析することにより、利用者の属性に応じた行動傾向を算出することができる。算出結果に基づき、移動型端末に対して、利用者の属性に応じて可能性の高い行動を促す情報を送信したり、利用者の属性に応じた対象物の関連情報を送信したりすることができる。
（２）移動型端末は、サーバから配信された情報を一旦記憶部に記憶しておき、現在位置をモニタリングすることにより、対象物から所定の距離範囲内に近づいたときに表示することができ、時期を逸することなく適時に表示を行うことができる。
（３）例えば同じ場所に複数の対象物がある場合に、利用者の属性に応じて配信する情報の優先度を自由に変えることができる。
（４）また、利用者の属性に依存して行動を促す案内を行うため、利用者にとって移動型端末の操作性が格段に向上する。
（５）属性情報を予め取得するとともに、行動情報及び位置情報を逐次収集できるため、危険情報や防災情報といった利用者の属性に依存しない情報も配信することができる。
【図面の簡単な説明】
【００１７】
【図１】図１は、一般的な情報配信システムの概略構成図である。
【図２】図２は、本発明を適用した情報配信システムの一実施形態の概略構成図である。
【図３】図３は、利用者の属性情報を格納したテーブル構成例を示す図である。
【図４】図４は、利用者の行動情報を格納したテーブル構成例を示す図である。
【図５】図５は、利用者の位置情報を格納したテーブル構成例を示す図である。
【図６】図６は、行動蓄積データ解析配信サーバにおける行動蓄積データの解析及び配信処理の一例を示すフローチャートである。
【図７】図７は、行動蓄積データ解析配信サーバから移動型端末に送信する行動蓄積データ解析結果のデータ構成例を示す図である。
【図８】図８は、移動型端末に表示する案内の画面ＵＩの一例を示す概要図である。
【図９】図９は、利用者の属性別の配信情報の一例の概要図である。
【図１０】図１０は、属性に依存しない場合の配信情報の一例の説明図である。
【図１１】図１１は、移動型端末の画面ＵＩを表示する行動蓄積データ解析配信サーバにおける処理のフローチャートである。
【発明を実施するための形態】
【００１８】
以下、一例を示した図面を参照して本発明の実施形態を説明する。
図２は、本発明を適用した利用者属性に依存した情報配信システムの一実施形態の概略構成図である。
【００１９】
本システムは、サーバ装置とクライアント装置とを備えている。サーバ装置は、地図データサーバ２１０、行動蓄積データサーバ２１１、行動蓄積データ解析配信サーバ２１２から構成されている。クライアント装置は、複数の移動型端末２０７ａ、２０７ｂ...２０７ｎの各々である。移動型端末２０７ａ、２０７ｂ...２０７ｎは、無線回線によって基地局２０８と接続されている。基地局２０８は、移動型端末２０７ａ、２０７ｂ...２０７ｎが例えば携帯電話である場合は、携帯電話事業者の基地局に相当する。そして基地局２０８は、有線の公衆回線網２０９により地図データサーバ２１０、行動蓄積データサーバ２１１及び行動蓄積データ解析配信サーバ２１２と接続されている。これにより、移動型端末２０７ａ、２０７ｂ...２０７ｎと地図データサーバ２１０、行動蓄積データサーバ２１１及び行動蓄積データ解析配信サーバ２１２とは、種々の情報を送受信する。例えば、移動型端末２０７ａ等は、地図データサーバ２１０から地図データ、観光案内データ、道路状況データ等の地図関連情報を受信する。
【００２０】
各サーバ装置及び各クライアント装置は、所定のプログラムを導入されたコンピュータであり、ＣＰＵが所定のプログラムをメモリに読み込み実行することにより、本システムのサーバ装置及びクライアント装置の各々の機能を実現する装置となる。図２では、各サーバ装置を機能別に独立して設けた形態で示しているが、これは一例でありこの形態に限られない。
【００２１】
地図データサーバ２１０は、例えばＡＳＰ形式にて地図画像、観光案内、道路状況等の配信サービスを行う機能を備えている。地図データサーバ２１０は、行動蓄積データ解析配信サーバ２１２からの指示により、これらのサービスによる各種情報を、指示された移動型端末２０７ａ等に配信する。
【００２２】
行動蓄積データサーバ２１１は、移動型端末２０７ａ、２０７ｂ...２０７ｎから、各端末を使用する利用者の属性情報、行動情報及び位置情報を逐次収集する。行動蓄積データサーバ２１１は、移動型端末から収集した情報を格納するための適宜のデータベース（図示せず）を備えている。
【００２３】
行動蓄積データ解析配信サーバ２１２は、移動型端末２０７ａ、２０７ｂ...２０７ｎから収集した情報を解析し、解析結果に基づいて移動型端末に対して利用者の属性に依存した情報を配信するように地図データサーバ２１０に指示するか、又は、地図データサーバ２１０から当該情報を取得して配信する。
【００２４】
移動型端末２０７ａ、２０７ｂ...２０７ｎの各々は、利用者により、属性情報及び種々の指示情報の入力を受け付ける入力部２０１、衛星からの電波を受信して現在位置を検出するＧＰＳ部２０２、種々の情報を格納するための情報記憶部２０３、移動型端末におけるデータ処理全体を制御するデータ処理部２０４、情報入力画面ＵＩ（user interface）や処理結果画面ＵＩを表示する表示部２０５、及び、基地局２０８を介し公衆回線網２０９と接続して地図データサーバ２１０、行動蓄積データサーバ２１１及び行動蓄積データ解析配信サーバ２１２の各々との間でデータを送受信するための送受信部２０６から構成される。さらに、データ処理部２０４は、行動蓄積データサーバ２１１に送信する属性情報、行動情報及び位置情報を収集するための行動蓄積データ収集部２０４ａと、行動蓄積データ解析配信サーバ２１２から受信した行動蓄積データ解析結果をデータ処理しかつ表示するための行動蓄積データ解析結果処理部２０４ｂの各機能を備えている。
【００２５】
以下の各図面の説明においては、図２中の符号を参照する場合がある。
図３は、利用者の属性情報を格納したテーブル構成例を示す図である。
利用者の属性情報の項目３０５は、「性別」３０１、「年代」３０２、「構成」３０３、「目的」３０４で主に構成するが、運用に応じて項目を増減してもよい。また、属性情報は、属性情報の項目内容例３０６に示すように予め設定された数字による選択形式とすることが好適である。利用者は、移動型端末の入力部２０１及び表示部２０５を利用して属性情報を入力する。属性情報の入力は、利用者が本システムを利用しながら行う移動の開始前に予め行っておくことが好ましい。属性情報の入力が完了したならば、移動型端末は、入力された属性情報を行動蓄積データサーバ２１１へ送信する。行動蓄積データサーバ２１１は、受信した属性情報を、例えば図３に示すテーブル構成にて適宜のデータベースに格納する。
【００２６】
なお、属性情報をデータベースに格納する際には、当該属性情報を送信した移動型端末と対応付けて格納する。これは、各移動型端末に対して、利用者の属性情報に依存した情報を配信するためである。
【００２７】
図４は、利用者の行動情報のテーブル構成例を示す図である。
利用者の行動情報の項目は、利用者が移動型端末に対して所定の操作を行った「日時」４０１、当該操作を行った時点における移動型端末の位置である「緯度」４０２及び「経度」４０３、当該操作を行った時点における移動型端末の向きである「方角」４０４、利用者が移動型端末に対して行った操作内容を示す「行動」４０５で構成する。行動情報は、利用者が移動型端末の操作を行う毎に、データ処理部２０４の行動蓄積データ収集部２０４ａが自動的に取得する。移動型端末の操作とは、例えば、対象物で利用者がカメラで撮影をしたり、観光案内を見るためにブラウザを起動したりする操作である。操作内容がカメラ撮影であるとき、「方角」４０４は撮影の向きを示すことになる。
【００２８】
図４において、「日時」は移動型端末に内蔵された時計から自動的に取得し、「緯度」及び「経度」はＧＰＳ部から自動的に取得し、「方角」は例えば移動型端末の地磁気センサにより取得し、「行動」は移動型端末の操作を自動検知する。行動情報の項目内容例４０６に示すように予め設定された数字により記憶されることが好ましい。行動情報は、利用者が意識することなく自動的に取得される。移動型端末は、取得した行動情報を行動蓄積データサーバ２１１へ送信する。行動蓄積データサーバ２１１は、受信した行動情報を、例えば図４に示すテーブル構成にてデータベースに格納する。
【００２９】
なお、行動情報をデータベースに格納する際には、当該行動情報を送信した移動型端末と対応付けて格納する。これは、行動情報を図３の属性情報と関連づけて、属性による行動傾向を解析するためである。
【００３０】
図５は、利用者の位置情報のテーブル構成例を示す図である。
利用者の位置情報の項目は、「日時」５０１、移動型端末の「現在緯度」５０２及び「現在経度」５０３並びに移動型端末の「移動方向」５０４で構成する。利用者の位置情報は、予め設定された一定の時間間隔毎に、データ処理部２０４の行動蓄積データ収集部２０４ａが自動的に取得し、行動蓄積データサーバ２１１へ送信する。行動蓄積データサーバ２１１は、受信した位置情報の「現在緯度」及び「現在経度」に基づいて移動型端末の「移動方向」を算出する。これは「現在緯度」と「現在経度」の前回データと今回データを対比することで算出できる。行動蓄積データサーバ２１１は、これらのデータを例えば図５に示すテーブル構成にてデータベースに格納する。
【００３１】
なお、位置情報をデータベースに格納する際には、当該位置情報を送信した移動型端末と対応付けて格納する。これは、各移動型端末に対して、適切な時点で（例えば、対象物に到達するまでに十分な余裕のある時点）で情報を配信するためである。
【００３２】
図６は、行動蓄積データ解析配信サーバ２１２における行動蓄積データの解析及び配信処理の一例を示すフローチャートである。
行動蓄積データ解析配信サーバ２１２は、予め設定された一定の時間間隔にて行動蓄積データサーバ２１１と通信し、行動蓄積データサーバ２１１に蓄積された属性情報、行動情報及び位置情報を取得する（ステップ６０１）。
【００３３】
取得した行動情報に含まれる「緯度」及び「経度」に基づいて、緯度及び経度を同じくする（所定の範囲内であれば同じとみなす）行動情報を収集する。そして、当該緯度及び経度に該当する対象物の位置を特定する。続いて、収集した行動情報に含まれる「行動」の項目毎に、属性情報に含まれる所定の項目について項目内容別に集計する。集計方法は多様であるが、例えば、項目内容別の占有率を計算する(ステップ６０２)。これにより、当該対象物の場所において属性によってどのような行動傾向をとるかを解析できる。例えば、"カメラ撮影"という行動を、性別の項目で解析すると、男性が２５％、女性が７５％と計算される。従って、カメラ撮影の性別解析の結果は、女性の占有率が上位７５％以上となる。また例えば、"ブラウザ起動"という行動を年代の項目で解析すると、１０代が３０％、２０代が２５％、３０代が２０％、４０代が１５％、５０代が１０％、６０代以上が５％と計算される。従って、ブラウザ起動の年代別解析の結果は、１０代〜３０代が上位７５％以上となる。
【００３４】
続いて、取得した位置情報の現在緯度及び現在経度並びに移動方向に基づいて、行動情報の緯度及び経度と対比することにより、情報配信先の移動型端末の候補を決定する（ステップ６０３）。例えば、現在緯度及び現在経度が行動情報の緯度及び経度（対象物の緯度及び経度）から所定の距離範囲内であり、かつ、移動方向が行動情報の緯度及び経度（対象物の緯度及び経度）に近づくように移動中であることを示している移動型端末を情報配信先の候補とする。複数の対象物が該当する場合があるが、その場合は、各々の対象物についてそれぞれ処理を行う。
【００３５】
次に、情報配信先の候補とした移動型端末の利用者の属性情報に基づいて、ステップ６０２で計算した占有率の累計が例えば上位７５％以上となる項目内容の属性をもつ利用者の移動型端末を情報配信先として決定する。決定された移動型端末に対して、キーとした行動情報の緯度及び経度から特定された対象物に関連する情報と、当該属性において可能性の高い行動（但し移動型端末の操作に限られる）を促す情報を配信する（ステップ６０４）。例えば、ステップ６０２で、カメラ撮影する人の７５％が女性であると計算された場合、女性の利用者の移動型端末に対しては、対象物の関連情報に加え、カメラ撮影画面を起動するアイコンを表示させるための情報を送信する。特に、操作内容がカメラ撮影である場合は、行動情報に含まれる方角も併せて送信することが好適である。この方角の情報により、カメラ撮影において移動型端末をどの向きに向けるべきかを利用者に示すことができる。また例えば、ステップ６０２で、ブラウザ起動する人の７５％が１０代〜３０代であると計算された場合、１０代〜３０代の利用者の移動型端末に対しては、対象物の関連情報に加え、ブラウザ起動用のアイコンを表示させるための情報を送信する。
【００３６】
なお、上位７５％の占有率の属性に対して所定の情報を配信することは一例であり、属性に依存して具体的にどのように情報配信するかは、特に限定されるものではない。
【００３７】
このようにして、移動型端末の利用者の属性情報及び行動情報に基づいて特定の対象物の場所における利用者の属性に依存した特徴的な行動傾向を計算し、さらに移動型端末の位置情報に基づいて利用者の現在位置を参照することにより、利用者の属性に依存した情報すなわち行動蓄積データ解析結果を移動型端末に配信することができる。また、移動型端末の位置情報に基づいて、移動型端末が対象物に到達するまでに十分な距離と時間があるうちに、情報配信しておくことができる。移動型端末は、受信した行動蓄積データ解析結果を情報記憶部２０３に記憶しておく。そして、対象物から所定の距離内に近づいた時点で、行動蓄積データ解析結果に基づいた画面ＵＩを表示する（図１１のフロー参照）。
【００３８】
図７は、行動蓄積データ解析配信サーバ２１２から移動型端末に送信する行動蓄積データ解析結果のデータ構成例を示す図である。
図７のデータ構成における「緯度」７０１及び「経度」７０２は、対象物の場所を示す情報である。「方角」７０３は、カメラ撮影を促す情報を送信する場合に含めることが好適である。対象物の関連情報としては、例えば「タイトル」７０４、「説明」７０５及び「写真データ」７０７が送信される。
【００３９】
図７のデータ構成における「行動」７０６は、ステップ６０２で解析した行動情報の「行動」の項目内容から得たものである。例えば、当該対象物の場所ではカメラ撮影を行う７５％が女性であるという解析結果が得られた場合、女性の移動型端末に送信する行動蓄積データ解析結果の「行動」７０６で"１"（カメラで撮影）が選択される。また例えば、当該対象物の場所ではブラウザ起動を行う７５％が１０代〜３０代であるという解析結果が得られた場合、１０代〜３０代の移動型端末に送信する行動蓄積データ解析結果の「行動」７０６で"２"（ブラウザ起動）が選択される。
【００４０】
図８は、移動型端末に表示する案内の画面ＵＩの一例を示す概要図である。
行動蓄積データ解析結果を受信した移動型端末では、行動蓄積データ解析結果処理部２０４ｂが、受信した行動蓄積データ解析結果を情報記憶部２０３に保存する。そして、行動蓄積データ解析結果処理部２０４ｂは、所定のタイミングにおいて表示部２０５に対象物の関連情報を表示する。例えば、移動型端末の現在位置が、対象物の場所から所定の距離内となった時点で表示を行う。また、利用者の属性情報の内容に応じて、表示する情報の優先度を設定する。例えば年代によって案内が区別される対象物の情報は、その年代の属性を設定された移動型端末に優先的に表示する。例えば、５０代と６０代以上の利用者の移動型端末に送信する場合、５０代のための情報を５０代の利用者に送信し、６０代以上のための情報を６０代以上の利用者に送信する。
【００４１】
図８に示した画面ＵＩの例において、行動アイコン８０１は、図７の行動蓄積データ解析結果の「行動」７０６のデータに基づいて該当するアイコンを表示する。アプリの起動を促す場合は、このアイコンの押下を契機に機能が起動する。例えば、図示のカメラの行動アイコン８０１を押下すると、移動型端末がカメラ撮影可能な状態となる。また、カメラの行動アイコン８０１を表示する場合は、画面ＵＩ上に移動型端末を向ける向きも表示する（例えば「右手に」という表示）ことが好適である。画面タイトル８０２は、図７の行動蓄積データ解析結果の「タイトル」７０４のデータを表示する。写真８０３は、図７の行動蓄積データ解析結果の「写真」７０７のデータを表示する。ボタン８０５を押下すると画面は閉じられる。
【００４２】
図９は、利用者の属性に依存した配信情報の一例の概要図である。
道路９０１上を進行方向９０２に向かって進んでいる複数の利用者がおり、またいずれの利用者も、複数の対象物から所定の距離範囲内に位置し近づいている、と想定する。複数の利用者の現在位置はほぼ同じであるが、それぞれの利用者の属性が異なり、属性に依存して各自の移動型端末に表示する対象物の優先度が異なっている。従って、各自の移動体端末には異なる対象物が表示されている。経路上に若い女性向けの雑貨店９０３がある場合でかつ利用者が３０代女性である場合は、当該利用者の移動型端末上に画面ＵＩ９０４を表示する。また、経路上に家族連れ向けの施設９０５がある場合でかつ利用者が３０代家族連れである場合は、当該利用者の移動型端末上に画面ＵＩ９０６を表示する。また、経路上に４０〜６０代が写真撮影を行う傾向が高い寺院９０７がある場合でかつ利用者が４０〜６０代である場合は、当該利用者の移動型端末上に画面ＵＩ９０８を表示し、カメラの行動アイコンを表示して写真撮影スポットであることを示す。
【００４３】
図１０は、利用者の属性に依存しない配信情報の一例の概要図である。
例えば、経路１００１を進行方向１００２に向かって進んでいる複数の利用者がいると想定する。そして、何らかの障害１００３が進路上に存在する場合、利用者の属性情報に関わらず、全ての移動型端末上に警告用の画面ＵＩ１００４を表示する。
【００４４】
図１１は、移動型端末の画面ＵＩを表示する処理のフローチャートである。
この処理は、移動型端末の行動蓄積データ解析結果処理部２０４ｂのデータ処理により表示部２０５が表示処理を行う。行動蓄積データ解析配信サーバ２１２から受信した行動蓄積データ解析結果は、移動型端末内の行動蓄積データ解析結果処理部２０４ｂで解釈し、情報記憶部２０３に保存する（ステップ１１０１）。
【００４５】
行動蓄積データ解析結果を受信後、行動蓄積データ採集部２０４ａがＧＰＳ部２０２より取得した現在緯度及び現在経度からなる現在の位置情報をモニタリングする（ステップ１１０２）。行動蓄積データ解析結果処理部２０４ｂは、受信した行動蓄積データ解析結果に含まれる対象物の緯度及び経度と現在の位置情報に基づいて、２つの位置情報の距離を算出する。その距離が一定値Ｒより小さい場合（ステップ１１０３）は対象物に近づいた、と判断して画面ＵＩを画面に表示する（ステップ１１０４）。
【符号の説明】
【００４６】
２０１  入力部
２０２  ＧＰＳ部
２０３  情報記憶部
２０４  データ処理部
２０４ａ  行動蓄積データ採集部
２０４ｂ  行動蓄積データ解析結果処理部
２０５  表示部
２０６  送受信部
２０７ａ、２０７ｂ...２０７ｎ  移動型端末
２０８  基地局
２１０  地図データサーバ
２１１  行動蓄積データサーバ
２１２  行動蓄積データ解析配信サーバ
【図１】
2014194710.tif 000003
【図２】
2014194710.tif 000004
【図３】
2014194710.tif 000005
【図４】
2014194710.tif 000006
【図５】
2014194710.tif 000007
【図６】
2014194710.tif 000008
【図７】
2014194710.tif 000009
【図８】
2014194710.tif 000010
【図９】
2014194710.tif 000011
【図１０】
2014194710.tif 000012
【図１１】
2014194710.tif 000013